(57)【特許請求の範囲】
【請求項１】
ブラケットにより俯仰自在に支持された操作レバーを所定の操作位置から引き上げられないようにロックする安全装置であって、一端をフック部とし且つ他端を操作部としたロックレバーを前記操作レバーの傾動中心に近い中途部に回動自在に備えると共に、該操作レバーを所定の操作位置に傾動した時に前記ロックレバーのフック部を掛止させるための掛止部を前記ブラケットに設け、該ブラケットの掛止部と前記フック部との掛止時に該フック部を前記掛止部に押圧する向きに付勢し且つ該掛止部と前記フック部との脱離時に付勢の向きを反転するバネ機構を前記ロックレバーと操作レバーとの間に設けたことを特徴とする操作レバーの安全装置。
【請求項２】
ロックレバーの回動中心に近い操作レバーの中途部に回動自在に備えられ且つその回動中心と前記ロックレバーの適宜位置との間に弾発力を効かせるバネ体を備え、該バネ体の回動中心から前記ロックレバーの回動中心を通過して延びるラインを超えて前記バネ体の前記ロックレバーに対する弾発力の作用点を移動させることで付勢力を反転し得るようにバネ機構を構成したことを特徴とする請求項１に記載の操作レバーの安全装置。
【請求項３】
操作レバーをロックすべき所定の操作位置から更に押し下げた時にブラケットの掛止部との摺接によりロックレバーを解除位置まで回動させるガイド部をフック部の直上に形成したことを特徴とする請求項１又は２に記載の操作レバーの安全装置。
【発明の詳細な説明】
【技術分野】
【０００１】
本発明は、コンクリートミキサー車等の操作レバーを所定の操作位置にロックするための安全装置に関するものである。
【背景技術】
【０００２】
一般的に、生コンクリート工場で一括して造られた生コンクリートは、撹拌しながら建設現場まで運ばないと固まってしまうため、図６に示す如きコンクリートミキサー車ａのミキサドラムｂに収容して該ミキサドラムｂを回転しながら運搬するようにしている。即ち、このミキサドラムｂの内部には、その内周面に沿い螺旋状のブレードｃが備えられており、該ブレードｃをミキサドラムｂと一体的に回転させることで生コンクリートを撹拌できるようになっている。
【０００３】
前記ミキサドラムｂの回転の制御は、図７に示す如き運転席の脇に設けられた操作レバーｄを引き上げたり押し下げたりすることで床下のケーブル（図示せず）を押し引きして操作するようになっており、最も低く押し下げた位置が、ホッパｅから投入される生コンクリートをミキサドラムｂ内に引き込む方向にミキサドラムｂを回転する投入ポジションとなり、最も高く引き上げた位置が、生コンクリートを車両後部のシュートｆまで掻き上げる方向（投入時とは逆の方向）にミキサドラムｂを回転する排出ポジションとなっている。
【０００４】
また、前記投入ポジションと前記排出ポジションとの中間位置は、ミキサドラムｂの回転を停止する中立ポジションとなり、該中立ポジションから少し押し下げた位置は、投入時と同じ方向へ向け投入時よりもゆっくりとした回転で生コンクリートを撹拌する運搬時の撹拌ポジションとなっている。
【０００５】
この種の操作レバーｄにあっては、運搬中に生コンクリートが誤って排出されてしまうような事態を防ぐため、その傾動中心を成す傾動ピンｇに近い中途部にロックレバーｈが回動自在に装備されており、該ロックレバーｈを運転者がレバー操作してフック部ｉをブラケットｊ側の掛止ピンｋに掛止することにより、前記操作レバーｄにおける撹拌ポジションからの不用意な引き上げ操作をロックできるようにしてある。
【０００６】
尚、この種の操作レバーに関連する先行技術文献情報としては下記の特許文献１等がある。
【先行技術文献】
【特許文献】
【０００７】
【特許文献１】実開昭６３−１５５５１８号公報
【発明の概要】
【発明が解決しようとする課題】
【０００８】
しかしながら、前述の如き従来構造にあっては、操作レバーｄのロックを解除した状態を保持する機構が何も備えられていなかったため、操作レバーｄを撹拌ポジションから引き上げる時にロックレバーｈを掛止ピンｋと再掛止しないように解除位置に押さえておいたり、撹拌ポジションより高い位置から引き下げる時にロックレバーｈを掛止ピンｋと干渉しないように解除位置に押さえておいたりする必要があり、解除後のロックレバーｈが邪魔になって操作レバーｄの操作性が悪化してしまうという問題があった。
【０００９】
本発明は上述の実情に鑑みてなしたもので、コンクリートミキサー車等の操作レバーにおける操作性の悪化を招くことなく該操作レバーを所定の操作位置から引き上げられないように確実にロックし得る安全装置を提供することを目的とする。
【課題を解決するための手段】
【００１０】
本発明は、ブラケットにより俯仰自在に支持された操作レバーを所定の操作位置から引き上げられないようにロックする安全装置であって、一端をフック部とし且つ他端を操作部としたロックレバーを前記操作レバーの傾動中心に近い中途部に回動自在に備えると共に、該操作レバーを所定の操作位置に傾動した時に前記ロックレバーのフック部を掛止させるための掛止部を前記ブラケットに設け、該ブラケットの掛止部と前記フック部との掛止時に該フック部を前記掛止部に押圧する向きに付勢し且つ該掛止部と前記フック部との脱離時に付勢の向きを反転するバネ機構を前記ロックレバーと操作レバーとの間に設けたことを特徴とするものである。
【００１１】
このようにすれば、ロックレバーのフック部をブラケットの掛止部から脱離させた時に、バネ機構により前記フック部を前記掛止部から離間させた状態に保持するよう付勢力が働き、前記ロックレバーを前記掛止部と干渉させることなく操作レバーを所定の操作位置まで引き下げることが可能となる。
【００１２】
そして、操作レバーを所定の操作位置まで引き下げた状態でロックレバーをフック部がブラケットの掛止部に向かう方向に回動すると、バネ機構により前記フック部を前記掛止部に押圧する向きに付勢力が働いて前記フック部が前記掛止部に強固に掛止され且つその掛止状態が確実に保持されことになり、前記操作レバーが所定の操作位置から引き上げられないようにロックされる。
【００１３】
一方、斯かるロック状態を解除するにあたっては、前述の操作レバーの引き下げ前に行う準備作業と同様に、ロックレバーをフック部がブラケットの掛止部から離れる方向に回動すると、その回動の途中でバネ機構により付勢の向きが反転して前記フック部を前記掛止部から離間させた状態に保持するよう付勢力が働き、これ以降の操作レバーの操作に関して前記ロックレバーが邪魔にならなくなる。
【００１４】
尚、ロックレバーを回動操作するに際しては、該ロックレバーのフック部と反対側に位置する操作部を操作して行えば良いが、このロックレバーの操作部が操作レバーの傾動中心に近い中途部付近に配置されることになるため、運転室内への乗降の際に足等が当たる心配が少なく、ロックレバーに対する誤操作が起こり難い構造となっている。
【００１５】
また、本発明においては、ロックレバーの回動中心に近い操作レバーの中途部に回動自在に備えられ且つその回動中心と前記ロックレバーの適宜位置との間に弾発力を効かせるバネ体を備え、該バネ体の回動中心から前記ロックレバーの回動中心を通過して延びるラインを超えて前記バネ体の前記ロックレバーに対する弾発力の作用点を移動させることで付勢力を反転し得るようにバネ機構を構成することが好ましく、このようにすれば、バネ機構を簡素な構造で実現することが可能となる。
【００１６】
更に、本発明においては、操作レバーをロックすべき所定の操作位置から更に押し下げた時にブラケットの掛止部との摺接によりロックレバーを解除位置まで回動させるガイド部をフック部の直上に形成することが好ましく、このようにすれば、操作レバーをロック状態から解除するにあたり、操作レバーを押し下げる操作を行うだけでロックレバーを解除位置まで回動させることが可能となる。
【発明の効果】
【００１７】
上記した本発明の操作レバーの安全装置によれば、下記の如き種々の優れた効果を奏し得る。
【００１８】
（Ｉ）本発明の請求項１に記載の発明によれば、バネ機構によりロックレバーに付勢力を効かせて該ロックレバーのフック部をブラケットの掛止部に対し強固に掛止させ且つその掛止状態を確実に保持することができる一方、前記バネ機構によりロックレバーのフック部をブラケットの掛止部から離間させた状態に保持して解除後のロックレバーが邪魔にならないようにすることができる。
【００１９】
（ＩＩ）本発明の請求項２に記載の発明によれば、操作レバーの中途部に備えたバネ体によりバネ機構を簡素な構造で実現することができるので、解除後のロックレバーが邪魔にならない安全装置を大幅なコストの高騰を招くことなく比較的安価に実施することができる。
【００２０】
（ＩＩＩ）本発明の請求項３に記載の発明によれば、操作レバーをロック状態から解除するにあたり、操作レバーを押し下げる操作を行うだけでロックレバーを解除位置まで回動させることができるので、操作レバーにおける操作性の更なる向上を図ることができる。
【図面の簡単な説明】
【００２１】
【図１】本発明を実施する形態の一例を示す側面図である。
【図２】図１のロックレバーの単品図である。
【図３】図１の要部を拡大して示す斜視図である。
【図４】図１のバネ機構によるロック状態での付勢力の向きを説明する図である。
【図５】図１のバネ機構による解除状態での付勢力の向きを説明する図である。
【図６】コンクリートミキサー車の概要について説明する斜視図である。
【図７】従来例を示す側面図である。
【発明を実施するための形態】
【００２２】
以下、本発明の実施の形態を図面を参照しつつ説明する。
【００２３】
図１〜図５は本発明を実施する形態の一例を示すもので、本形態例においては、先に図６及び図７で説明した従来例と同様に、コンクリートミキサー車のミキサドラムの回転を制御するための操作レバー１に適用した場合を例示しており、この操作レバー１は、ブラケット２により俯仰自在に支持されるようになっていて、最も低く押し下げた位置が、ホッパから投入される生コンクリートをミキサドラム内に引き込む方向にミキサドラムを回転する投入ポジション（図１中の一点鎖線を参照）を成し、最も高く引き上げた位置が、生コンクリートを車両後部のシュートまで掻き上げる方向（投入時とは逆の方向）にミキサドラムを回転する排出ポジション（図１中の二点鎖線を参照）を成し、これら投入ポジションと排出ポジションとの中間位置から少し押し下げた位置が、生コンクリートを撹拌する運搬時の撹拌ポジション（図１中の実線を参照）を成すようになっている。尚、説明の便宜上から図１中には特に図示していないが、撹拌ポジションより少し引き上げた投入ポジションと排出ポジションとの中間位置は、ミキサドラムの回転を停止する中立ポジションを成すようになっている。
【００２４】
そして、本形態例における安全装置は、操作レバー１を撹拌ポジション（所定の操作位置）から引き上げられないようにロックするもので、以下に詳述するロックレバー３と掛止ピン４（掛止部）とバネ機構５とにより構成されるようになっており、前記ロックレバー３（図２の単品図を参照）は、一端をフック部６とし且つ他端を操作部７として前記操作レバー１の傾動中心を成す傾動ピン８に近い中途部に回動ピン９を介し回動自在に備えられ、前記掛止ピン４は、前記操作レバー１を撹拌ポジションに傾動した時に前記ロックレバー３のフック部６を掛止させるべく前記ブラケット２の上部における操作レバー１が倒伏する側に設置され、前記バネ機構５は、ブラケット２の掛止ピン４と前記フック部６との掛止時に該フック部６を前記掛止ピン４に押圧する向きに付勢し且つ該掛止ピン４と前記フック部６との脱離時に付勢の向きを反転し得るよう前記ロックレバー３と操作レバー１との間に設けられている。
【００２５】
前記バネ機構５の詳細は、図３に要部を拡大して示す通りであり、ねじりバネ１０（バネ体）を主構造とし、該ねじりバネ１０の一端を駒１１を介し回動ピン１２により回動自在に操作レバー１側に枢着し且つ他端を前記ロックレバー３の操作部７側に下方向きに突設されたアーム部１３の溝１４に掛けて、該アーム部１３を前記回動ピン１２から遠ざける方向に弾発力を効かせるようになっているが、該ねじりバネ１０の回動中心から前記ロックレバー３の回動中心を通過して延びるラインＬを超えて前記ねじりバネ１０の前記ロックレバー３に対する弾発力の作用点（アーム部１３の溝１４の位置）を移動させることで付勢力を反転し得るように構成してある。
【００２６】
即ち、図４に示す如く、ブラケット２の掛止ピン４とフック部６との掛止時におけるロックレバー３の操作レバー１に対する相対的な回動位置にあっては、前記ねじりバネ１０のロックレバー３に対する弾発力の作用点が前記ラインＬより上側に移動するので、前記ねじりバネ１０の弾発力が前記ロックレバー３をＡ方向（図４参照）に回動する付勢力となり、これによって、前記フック部６が前記掛止ピン４に押圧する向きに付勢されるようになっている。
【００２７】
また、図５に示す如く、ブラケット２の掛止ピン４とフック部６との脱離時におけるロックレバー３の操作レバー１に対する相対的な回動位置にあっては、前記ねじりバネ１０のロックレバー３に対する弾発力の作用点が前記ラインＬより下側に移動するので、前記ねじりバネ１０の弾発力が前記ロックレバー３をＢ方向（図５参照）に回動する付勢力に反転し、これによって、前記フック部６が前記掛止ピン４から離間した状態に保持されるようになっている。
【００２８】
ここで、本形態例においては、図５に図示されている通り、操作レバー１をロックすべき撹拌ポジションから更に押し下げた時にブラケット２の掛止ピン４との摺接によりロックレバー３を解除位置まで回動させるガイド部１５がフック部６の直上に形成されており、操作レバー１を撹拌ポジションから更に押し下げる操作を行うだけでロックレバー３を解除位置まで回動できるようになっているが、ロックレバー３の操作部７を直接操作してロックレバー３の解除を行うようにしても良いことは勿論である。
【００２９】
而して、このように操作レバー１の安全装置を構成すれば、ロックレバー３のフック部６をブラケット２の掛止ピン４から脱離させた時に、バネ機構５により前記フック部６を前記掛止ピン４から離間させた状態に保持するよう付勢力が働き、前記ロックレバー３を前記掛止ピン４と干渉させることなく操作レバー１を撹拌ポジションまで引き下げることが可能となり、操作レバー１を撹拌ポジションまで引き下げた状態でロックレバー３をフック部６がブラケット２の掛止ピン４に向かう方向に回動すると、バネ機構５により前記フック部６を前記掛止ピン４に押圧する向きに付勢力が働いて前記フック部６が前記掛止ピン４に強固に掛止され且つその掛止状態が確実に保持されことになり、前記操作レバー１が撹拌ポジションから引き上げられないようにロックされる。
【００３０】
一方、斯かるロック状態を解除するにあたっては、操作レバー１を撹拌ポジションから更に押し下げると、ロックレバー３のガイド部１５がブラケット２の掛止ピン４に摺接することでロックレバー３が解除位置まで回動され、その回動の途中でバネ機構５により付勢の向きが反転して前記フック部６を前記掛止ピン４から離間させた状態に保持するよう付勢力が働き、これ以降の操作レバー１の操作に関して前記ロックレバー３が邪魔にならなくなる。
【００３１】
尚、ロックレバー３を回動操作するに際しては、該ロックレバー３のフック部６と反対側に位置する操作部７を操作して行うことも可能であるが、このロックレバー３の操作部７は、操作レバー１の傾動中心に近い中途部付近に配置されることになるため、運転室内への乗降の際に足等が当たる心配が少なく、ロックレバー３に対する誤操作が起こり難い構造となっている。
【００３２】
以上に述べた如く、上記形態例によれば、バネ機構５によりロックレバー３に付勢力を効かせて該ロックレバー３のフック部６をブラケット２の掛止ピン４に対し強固に掛止させ且つその掛止状態を確実に保持することができる一方、前記バネ機構５によりロックレバー３のフック部６をブラケット２の掛止ピン４から離間させた状態に保持して解除後のロックレバー３が邪魔にならないようにすることができる。
【００３３】
また、操作レバー１の中途部に備えたねじりバネ１０によりバネ機構５を簡素な構造で実現することができるので、解除後のロックレバー３が邪魔にならない安全装置を大幅なコストの高騰を招くことなく比較的安価に実施することができ、しかも、操作レバー１をロック状態から解除するにあたり、操作レバー１を押し下げる操作を行うだけでロックレバー３を解除位置まで回動させることができるので、操作レバー１における操作性の更なる向上を図ることができる。
【００３４】
尚、本発明の操作レバーの安全装置は、上述の形態例にのみ限定されるものではなく、コンクリートミキサー車のミキサドラムの回転を制御する操作レバー以外の操作レバーについても適用し得ること、また、バネ機構の構成及びバネ体の形式については必ずしも図示例に限定されないこと、その他、本発明の要旨を逸脱しない範囲内において種々変更を加え得ることは勿論である。
【符号の説明】
【００３５】
１      操作レバー
２      ブラケット
３      ロックレバー
４      掛止ピン（掛止部）
５      バネ機構
６      フック部
７      操作部
１０    ねじりバネ（バネ体）
１５    ガイド部
Ｌ      ライン
【図１】
0006660793.tif 000002
【図２】
0006660793.tif 000003
【図３】
0006660793.tif 000004
【図４】
0006660793.tif 000005
【図５】
0006660793.tif 000006
【図６】
0006660793.tif 000007
【図７】
0006660793.tif 000008